【事件の表示】
　特願２００１−２５０７９３「ＮＭＲスペクトルデータ検索システムのデータ登録方法」拒絶査定不服審判事件〔平成１５年　２月２８日出願公開、特開２００３−　５８５６３〕について、次のとおり審決する。
【結　論】
　本件審判の請求は、成り立たない。
【理　由】
第１　手続の経緯 
　本願は、平成１３年８月２１日の出願であって、平成１８年７月６日付けで拒絶査定がなされ（発送日同年７月１１日）、これに対して、同年８月７日に拒絶査定不服審判の請求がなされたものである。 
 　 
 　 
 　 
第２　本願発明について  
 　 
１．本願発明 
　本願の請求項１乃至４に係る発明は、平成１３年８月２１日付けの明細書及び図面の記載からみて、特許請求の範囲の請求項１乃至４に記載されたとおりのものと認められるところ、その請求項１に係る発明（以下、「本願発明」という。）は、次のとおりのものである。 
 　 
「　【請求項１】　複数のクライアントとサーバとが接続されており、前記サーバがＮＭＲスペクトルデータベースを有し、複数のクライアントがＮＭＲスペクトルデータベース上のＮＭＲスペクトルデータを閲覧可能なＮＭＲスペクトルデータ検索システムのデータ登録方法において、
　前記ＮＭＲスペクトルデータベースに登録すべきＮＭＲスペクトルデータの中の化学構造式の図形を作成するためのソフトであって、前記複数のクライアント共有使用可能なソフトを前記サーバに搭載し、
　前記登録すべきＮＭＲスペクトルデータを前記クライアントから入力する際に、前記ソフトにより化学構造式の図形のイメージを前記クライアント上で作成し、
　当該作成された化学構造式のイメージを含む登録すべきＮＭＲスペクトルデータを前記クライアントから前記ＮＭＲスペクトルデータベースに登録することを特徴とするＮＭＲスペクトルデータ検索システムのデータ登録方法。」  
　　 
　 
　　 
２．引用例 
 　　 
（１）
　原査定の拒絶の理由に引用された、坪田和人（外３名），コンピュータ　ケミストリ　システム，ＮＥＣ技報，１９８４年１２月１５日，３７巻、１２号，１１４−１２０頁（以下、「引用例１」という。）には、次の事項が記載されている。 
（なお、以下、表記上、丸数字をカッコで表わしている。例として、「○」で囲まれた「１」を「〔１〕」で代用している。）
 　　 
 （ア） 
 「　　　　　　　　　　　　　　　要旨
　住友化学工業（株）と日本電気（株）の両者は，現在，注目を集めているコンピュータケミストリ（計算機化学）分野において，世界レベルのシステムを共同で開発しております。このシステムはＡＣＡＣＳ（Ａｄｖａｎｃｅｄ　Ｃｏｍｐｕｔｅｒ　Ａｉｄｅｄ　Ｃｈｅｍｉｓｔｒｙ　Ｓｙｓｔｅｍ）と名付けられ，化学構造・活性データの蓄積から立体モデルの構築・表示，さらに量子力学計算・構造活性相関までを包含した統合的なシステムです。このような統合システムは，現在のところ世界でも例をみません。このシステムを利用すれば，新薬開発の期間の短縮およびコストの大幅な削減を期待できます。
　本稿では，コンピュータケミストリの現状および開発の経緯を説明し，ＡＣＡＣＳの機能概要について紹介します。」
　　　　　　　　　　　　　　　　　　（第１１４頁左欄第１乃至１２行）
　
（イ）
「２．コンピュータケミストリの現状
　コンピュータケミストリについて確かな定義がある訳ではありませんが，現在考えられる適用分野として次のようなものがあげられます。
〔１〕化合物情報管理
〔２〕未知化合物の同定
〔３〕分子モデリング
〔４〕分子模型の立体表示
〔５〕量子化学計算
〔６〕構造活性相関
〔７〕合成反応設計
以下，各適用分野の概要および現状について述べます。」
　　　　　　　　（第１１４頁右欄第３１行から第１１５頁左欄第１０行）
　
（ウ）
「２．１　化合物情報管理
　化合物の情報管理において最も重要なことは，構造情報の処理（入力・蓄積・検索）をどのように扱うかです。構造情報の処理方法としては、
（１）フラッグメントコード（ダウェント社：ＲＩＮＧＤＯＣ）
（２）ＷＬＮなどの線形表記（住化−日電：ＯＲＧＡＮＩＣ）
（３）グラフィック端末の画像処理（ＭＤＬ社：ＭＡＣＣＳ）
などがあります。しかし，研究者とのマンマシンインターフェースを考えた場合，研究者が一番なじんでいる化学構造式を直接扱ったり，分子の立体イメージが描けるグラフィック端末の利用が最近注目をあびています。ただし、大量の情報を一度に入力するためにはＷＬＮを用いた線形表記法も有効な方法です。」
　　　　　　　　　　　　　　　　　（第１１５頁左欄第１１乃至２２行）
　
（エ）
「２．２　未知化合物の同定
　核磁気共鳴（ＮＭＲ）などの分析をもとに，未知化合物の構造の同定を行います。豊橋技術科学大学・佐々木教授のＣＨＥＭＩＣＳが有名です。」
　　　　　　　　　　　　　　　　　（第１１５頁左欄第２３乃至２６行）
　
（オ）
「以上各適用分野について現状を簡単に説明しましたが，今後はこれらを統合したシステムの開発が進められるものと思われます。すでにデュポン社においてはＴＲＩＢＢＬＥと呼ばれる統合システムを開発しており，ＡＣＡＣＳも統合システムとして開発しております。」
　　　　　　　　　　　　　　　　　（第１１５頁右欄第１４乃至１７行）
　
（カ）
「３．２　システムの特徴
　上記の目的にもとづき設計したＡＣＡＣＳの特徴は以下の通りです。
（１）コンピュータケミストリの統合システム
　化学構造・活性データの蓄積・検索から，化合物の立体構造モデルの構築・表示，さらに量子力学計算・構造活性相関までを包含したコンピュータケミストリの統合システムです。さらに，ＱＣＰＥなどの流用ソフトウエアとの容易なインターフェースがとれます。また，化学領域では市販のデータベースも数多く有り，これら外部データの活用も考え，データ移行ツールをユーティリティにて提供しています。
（２）２次元グラフィック端末を利用した化学構造式の入力
　登録する構造の入力または検索時のキーとして，研究者の最も見慣れている２次元構造式をグラフィック端末を利用して画面入力します。」
　　　　　　　　　（第１１５頁右欄第３７行から第１１６頁左欄第８行）
　
（キ）
「（６）強力なデータベースのサポート
　強力なリレーショナルＤＢＭＳを採用し，大量の化合物情報・活性情報を容易かつ迅速に蓄積・検索することができます。」
　　　　　　　　　　　　　　　　　（第１１６頁左欄第２１乃至２３行）
　
（ク）
「３．３　ＡＣＡＣＳの全体構成
　ＡＣＡＣＳの基本構成を図１に示します。本システムは，ＡＣＯＳ−４／ＡＶＰおよびＭＶＰのＴＳＳ配下で動作し，
〔１〕化合物・生物活性情報管理サブシステム
〔２〕分子モデリング・サブシステム
〔３〕立体表示サブシステム
〔４〕解析サブシステム
の４つのサブシステムから構成されます。また，入力機器として２次元グラフィック端末（Ｎ６９６５）および３次元グラフィック端末（Ｎ６９７０）を使用します。さらに，活性情報の蓄積・検索および解析サブシステムの実行のためにＮ６３００／５５あるいはＮ５２００／０５などの接続も可能です。
　なお，４つのサブシステムのうち，「化合物・生物活性情報管理サブシステム」は本システムの基本構成要素であり，他の３つのサブシステムをオプションとして追加することができます。
　以下，各サブシステムの機能について簡単に紹介します。」
　　　　　　　　　　　　　　　　　（第１１６頁左欄第２７乃至４２行）
　
（ケ）
「（１）化合物・生物活性情報管理サブシステム
　化合物・生物活性情報管理サブシステムＣＡＢＩＮ（Ｃｈｅｍｉｃａｌ　Ａｎｄ　Ｂｉｏｌｏｇｉｃａｌ　ＩＮｆｏｒｍａｔｉｏｎ　ｓｙｓｔｅｍ）は化合物の２次元構造および物性・活性情報データの入力・蓄積ならびに検索を行うサブシステムであり，ＥＮＴＲＹ・ＲＥＴＲＩＥＶＡＬ・ＤＡＴＡの３つの処理モードを有します。立体化学の構造式も扱うことができます。」
　　　　　　　　　　　　（第１１６頁左欄第４３行から同頁右欄第４行）
　
（コ）
「ＥＮＴＲＹモードは構造式を入力するためのモードであり，メニュー上の適当なコマンド・原子記号・パターンをタブレットにより選択するかキー入力により，グラフィック端末（Ｎ６９６５）に化合物の２次元構造を描画し，化合物データベースに登録することができます。また，既存の化合物を化合物データベースより検索し，この化合物に修正を加えたうえで，新規の化合物として登録することもできます。なお，化合物データベースの登録にあたり，二重登録のチェック，分子量・分子式の自動生成，部分構造の特徴を表すフラッグメントコードの自動抽出などが行われます。写真１は，ＥＮＴＲＹモードでの入力画面を示したものです。」
　　　　　　　　　　　　　　　　　　（第１１６頁右欄第５乃至１４行）
　 
（サ）
「なお、ＣＡＢＩＮサブシステムは化合物データベースを情報検索するシステムのため，検索効率にすぐれたＲＩＱＳリレーショナルデータベースを使用しています。化合物の検索は極めて広汎な用途が考えられますが，〔１〕すでにデータのある化合物について，重複した合成と測定を繰り返す無駄を省く，〔２〕各所にある情報を研究者が収集・整理する負荷を大幅に軽減するのに役立つことと思われます。表１にＣＡＢＩＮサブシステムのコマンド一覧を示します。」
　　　　　　　　　　　　　　　　　（第１１７頁右欄第１０乃至１６行）
 　 
　
　以上の引用例１の記載によれば、引用例１には以下の事項が開示されていると認められる。 
 　 
（ａ）
　引用例１の上記（ク）の「ＡＣＡＣＳの基本構成を図１に示します。本システムは，ＡＣＯＳ−４／ＡＶＰおよびＭＶＰのＴＳＳ配下で動作し，
〔１〕化合物・生物活性情報管理サブシステム
〔２〕分子モデリング・サブシステム
〔３〕立体表示サブシステム
〔４〕解析サブシステム
の４つのサブシステムから構成されます。また，入力機器として２次元グラフィック端末（Ｎ６９６５）および３次元グラフィック端末（Ｎ６９７０）を使用します。さらに，活性情報の蓄積・検索および解析サブシステムの実行のためにＮ６３００／５５あるいはＮ５２００／０５などの接続も可能です。」という記載（なお、ＡＣＯＳが日本電気（株）製のホストコンピュータであることは技術常識である。）、
　
　引用例１の図１には、複数の端末とＡＣＯＳが接続されていることが図示されていること、
　
　引用例１の上記（ケ）の「化合物・生物活性情報管理サブシステムＣＡＢＩＮ（Ｃｈｅｍｉｃａｌ　Ａｎｄ　Ｂｉｏｌｏｇｉｃａｌ　ＩＮｆｏｒｍａｔｉｏｎ　ｓｙｓｔｅｍ）は化合物の２次元構造および物性・活性情報データの入力・蓄積ならびに検索を行うサブシステムであり，ＥＮＴＲＹ・ＲＥＴＲＩＥＶＡＬ・ＤＡＴＡの３つの処理モードを有します。立体化学の構造式も扱うことができます。」という記載、
　
　引用例１の上記（コ）の「ＥＮＴＲＹモードは構造式を入力するためのモードであり，メニュー上の適当なコマンド・原子記号・パターンをタブレットにより選択するかキー入力により，グラフィック端末（Ｎ６９６５）に化合物の２次元構造を描画し，化合物データベースに登録することができます。また，既存の化合物を化合物データベースより検索し，この化合物に修正を加えたうえで，新規の化合物として登録することもできます。なお，化合物データベースの登録にあたり，二重登録のチェック，分子量・分子式の自動生成，部分構造の特徴を表すフラッグメントコードの自動抽出などが行われます。写真１は，ＥＮＴＲＹモードでの入力画面を示したものです。」という記載から、
　
　引用例１には「複数の端末とホストコンピュータとが接続されており、前記ホストコンピュータが化合物データベースを有し、複数の端末が化合物データベース上の化合物データを検索可能な化合物・生物活性情報管理サブシステムの化合物データベースに登録する方法」が開示されていると認められる。
　
　
（ｂ）
　上記（ａ）の「複数の端末とホストコンピュータとが接続されており、前記ホストコンピュータが化合物データベースを有し、複数の端末が化合物データベース上の化合物データを検索可能な化合物・生物活性情報管理サブシステムの化合物データベースに登録する方法」という開示、
　
　引用例１の上記（コ）の「ＥＮＴＲＹモードは構造式を入力するためのモードであり，メニュー上の適当なコマンド・原子記号・パターンをタブレットにより選択するかキー入力により，グラフィック端末（Ｎ６９６５）に化合物の２次元構造を描画し，化合物データベースに登録することができます。また，既存の化合物を化合物データベースより検索し，この化合物に修正を加えたうえで，新規の化合物として登録することもできます。なお，化合物データベースの登録にあたり，二重登録のチェック，分子量・分子式の自動生成，部分構造の特徴を表すフラッグメントコードの自動抽出などが行われます。写真１は，ＥＮＴＲＹモードでの入力画面を示したものです。」という記載、
　
　引用例１の写真１から、化合物の２次元構造を描画したものが、化学構造式の図形であることが把握できることから、
　
　引用例１には、
「前記化合物データベースに登録すべき化合物データの中の化学構造式の図形を描画するための化合物・生物活性情報管理サブシステムと、
　前記登録すべき化合物データを前記端末から入力する際に、前記化合物・生物活性情報管理サブシステムにより化学構造式の図形を前記端末上で作成し、
　当該作成された化学構造式を含む登録すべき化合物データを前記端末から前記化合物データベースに登録することを特徴とする、化合物データを検索可能な化合物・生物活性情報管理サブシステムのデータ登録方法」が開示されていると認められる。 　 
　
 　 
　以上の引用例１の記載によれば、引用例１には下記の発明（以下、「引用例１発明」という。）が開示されていると認められる。 
 　 
「複数の端末とホストコンピュータとが接続されており、前記ホストコンピュータが化合物データベースを有し、複数の端末が化合物データベース上の化合物データを検索可能な化合物・生物活性情報管理サブシステムの化合物データベースに登録する方法において、
　前記化合物データベースに登録すべき化合物データの中の化学構造式の図形を描画するための化合物・生物活性情報管理サブシステムと、
　前記登録すべき化合物データを前記端末から入力する際に、前記化合物・生物活性情報管理サブシステムにより化学構造式の図形を前記端末上で作成し、
　当該作成された化学構造式を含む登録すべき化合物データを前記端末から前記化合物データベースに登録することを特徴とする、化合物データを検索可能な化合物・生物活性情報管理サブシステムのデータ登録方法。」 
 　 
 　 
（２）
　原査定の拒絶の理由に引用された、国際公開第００／４２５６０号（以下、「引用例２」という。）には、次の事項が記載されている。　
　
（シ）　
”The software implementing the method (s) of this invention can run locally on the server hosting the website in a true client-server architecture. Thus, the client computer posts requests to the host server which runs the requested process (es) locally and then downloads the results back to the client. Alternatively, the methods of this invention can be implemented in a"multi-tier"format wherein a component of the method (s) are performed locally by the client. This can be implemented by software downloaded from the server on request by the client (e. g. a Java application) or it can be implemented by software "permanently"installed on the client. ”
　　　　　　　　　　　　　　　　　　　　　（第６７頁第８乃至１５行）
〔仮訳：本発明の方法を実行するソフトウエアは、厳密な意味でのクライアント・サーバ・アーキテクチャにおいて、ウエブサイトのホストであるサーバ上でローカルに実行され得る。したがって、クライアント・コンピュータはホスト・サーバに対してリクエストを送り、ホスト・サーバはリクエストされた処理をサーバ上でローカルに実行し、クライアントに処理結果をダウンロードすることによって送り返す。あるいは、本発明の方法は、クライアント上でローカルに実行される「多層」形式を用いて実行することも可能である。この場合、クライアント（例：Ｊａｖａアプリケーション）のリクエストによりサーバからダウンロードされたソフトウエアによって実行されるか、クライアントに「永続的に」インストールされているソフトウエアによって実行される。〕
　
　
　
３．対比 
　
　本願発明と引用例１発明とを対比する。  
 　 
（１）
　引用例１発明の
「複数の端末とホストコンピュータとが接続されており、前記ホストコンピュータが化合物データベースを有し、複数の端末が化合物データベース上の化合物データを検索可能な化合物・生物活性情報管理サブシステムの化合物データベースに登録する方法において、
　前記化合物データベースに登録すべき化合物データの中の化学構造式の図形を描画するための化合物・生物活性情報管理サブシステム」
を備えることと、
　 
　本願発明の
「複数のクライアントとサーバとが接続されており、前記サーバがＮＭＲスペクトルデータベースを有し、複数のクライアントがＮＭＲスペクトルデータベース上のＮＭＲスペクトルデータを閲覧可能なＮＭＲスペクトルデータ検索システムのデータ登録方法において、
　前記ＮＭＲスペクトルデータベースに登録すべきＮＭＲスペクトルデータの中の化学構造式の図形を作成するためのソフトであって、前記複数のクライアント共有使用可能なソフトを前記サーバに搭載」
することとは、
　
　引用例１発明の「化合物・生物活性情報管理サブシステム」がソフト（ウエア）を用いて実現されることは情報処理分野における技術常識であることを鑑みれば、
　
　「複数の利用者側コンピュータとホスト側コンピュータとが接続されており、前記ホスト側コンピュータがデータベースを有し、複数の利用者側コンピュータがデータベース上のデータを閲覧可能なデータ検索システムのデータ登録方法において、
　前記データベースに登録すべきデータの中の化学構造式の図形を作成するためのソフト」を備える点で一致し、
　
・本願発明の「利用者側コンピュータ」及び「ホスト側コンピュータ」は、それぞれ「クライアント」及び「サーバ」であるのに対し、引用例１発明の「利用者側コンピュータ」及び「ホスト側コンピュータ」は、それぞれ「端末」及び「ホストコンピュータ」である点、
・本願発明の「データベース」、「データ」、及び「データ検索システム」は、「ＮＭＲスペクトル」に関するものであるのに対し、引用例１発明の「データベース」、「データ」、及び「データ検索システム」は、「化合物」に関するものであるが、ＮＭＲスペクトルを取り扱うのか否かが不明である点、
・本願発明の「ソフト」は、ホスト側コンピュータに搭載され、複数の利用者側コンピュータと共有使用可能となっているのに対し、引用例１発明の「ソフト」は、その点が不明である点、
　で相違する。
　
　
（２）
　引用例１発明の
「前記登録すべき化合物データを前記端末から入力する際に、前記化合物・生物活性情報管理サブシステムにより化学構造式の図形を前記端末上で作成し、
　当該作成された化学構造式を含む登録すべき化合物データを前記端末から前記化合物データベースに登録する」ことと、
　
　本願発明の
「前記登録すべきＮＭＲスペクトルデータを前記クライアントから入力する際に、前記ソフトにより化学構造式の図形のイメージを前記クライアント上で作成し、
　当該作成された化学構造式のイメージを含む登録すべきＮＭＲスペクトルデータを前記クライアントから前記ＮＭＲスペクトルデータベースに登録する」こととは、
　
　「前記登録すべきデータを前記利用者側コンピュータから入力する際に、前記ソフトにより化学構造式の図形を前記利用者側コンピュータ上で作成し、
　当該作成された化学構造式を含む登録すべきデータを前記クライアントから前記データベースに登録する」点で一致し、
　
・本願発明の「利用者側コンピュータ」は、「クライアント」であるのに対し、引用例１発明の「利用者側コンピュータ」は、「端末」である点、
・本願発明の「データベース」及び「データ」は、「ＮＭＲスペクトル」に関するものであるのに対し、引用例１発明の「データベース」及び「データ」は、「化合物」に関するものであるが、ＮＭＲスペクトルを取り扱うのか否かが不明である点、
・本願発明では、「化学構造式の図形のイメージ」を作成して登録するのに対し、引用例１発明では、「化学構造式の図形」を作成して登録するもののイメージとして作成して登録しているのか不明である点、
　で相違する。
　
　
（３）
　引用例１発明の「化合物データを検索可能な化合物・生物活性情報管理サブシステムのデータ登録方法」と、
　
　本願発明の「ＮＭＲスペクトルデータ検索システムのデータ登録方法」とは、
　
　「データ検索システムのデータ登録方法」である点で一致し、
　
　本願発明の「データ検索システム」は、「ＮＭＲスペクトル」に関するものであるのに対し、引用例１発明の「データ検索システム」は、「化合物」に関するものであるが、ＮＭＲスペクトルを取り扱うのか否かが不明である点、
　で相違する。
　
　
（４）
　したがって、両者は、
　 
「複数の利用者側コンピュータとホスト側コンピュータとが接続されており、前記ホスト側コンピュータがデータベースを有し、複数の利用者側コンピュータがデータベース上のデータを閲覧可能なデータ検索システムのデータ登録方法において、
　前記データベースに登録すべきデータの中の化学構造式の図形を作成するためのソフトを備え、
　前記登録すべきデータを前記利用者側コンピュータから入力する際に、前記ソフトにより化学構造式の図形を前記利用者側コンピュータ上で作成し、
　当該作成された化学構造式を含む登録すべきデータを前記クライアントから前記データベースに登録することを特徴とするデータ検索システムのデータ登録方法。」 
 　 
 である点で一致し、以下の点で相違する。 
 　 
 （相違点１） 
　本願発明の「利用者側コンピュータ」及び「ホスト側コンピュータ」は、それぞれ「クライアント」及び「サーバ」であるのに対し、引用例１発明の「利用者側コンピュータ」及び「ホスト側コンピュータ」は、それぞれ「端末」及び「ホストコンピュータ」である点、
　
　そのため、
　
　本願発明の「ソフト」は、ホスト側コンピュータに搭載され、複数の利用者側コンピュータと共有使用可能となっているのに対し、引用例１発明の「ソフト」は、その点が不明である点、
　
（相違点２）
　本願発明の「データベース」、「データ」、及び「データ検索システム」は、「ＮＭＲスペクトル」に関するものであるのに対し、引用例１発明の「データベース」、「データ」、及び「データ検索システム」は、「化合物」に関するものであるが、ＮＭＲスペクトルを取り扱うのか否かが不明である点、 
 　 
（相違点３） 
　本願発明では、「化学構造式の図形のイメージ」を作成して登録するのに対し、引用例１発明では、「化学構造式の図形」を作成して登録するもののイメージとして作成して登録しているのか不明である点、　
 　 
  　 
 　 
 ４．相違点の判断 
 　 
（１）相違点１について 
　
　本出願当初明細書において、
「　　【０００２】
　　【従来の技術】
　ＮＭＲスペクトルデータをデータベースに登録し、端末等で登録したデータを検索し、表示することができるＮＭＲスペクトルデータ検索システムが知られている。検索結果として表示するＮＭＲスペクトルデータは、一般的には、図１に示すように化合物名、分子式、ＣＡＳ登録番号、化合物登録番号、溶媒と濃度、化学シフト値などの文字（コード）により表される文字データ部１と、化学構造式およびスペクトル波形などのイメージ部２とで構成される。
　　　【０００３】
　初期のＮＭＲスペクトルデータ検索システムは、複数の端末とホストコンピュータにより構成されている。図１のような表示を端末で行うために、ホストコンピュータは、図１の化学構造式の図形を描画データ、具体的には、化学構造式およびスペクトル波形を形成するための直線の両端の座標、直線の種類、表示文字、ピーク値、強度、線幅のセットあるいはｘ値データとｙ値データをくみ合わせた数字文字コードでデータベースに登録しておく。また、文字部のデータは、文字コードの形態でデータベースに登録しておく。端末装置での検索結果の表示の際には、ホストコンピュータ側で、文字コードおよび描画データに基づいて表示用のイメージデータを作成し、端末装置へ送っている。
　　　【０００４】
　ホストコンピュータと端末との間は、ＬＡＮ（広域ネットワーク）などにより接続されているので、端末を利用できる利用者は少なく、また、一般の者は利用できない。
　　　【０００５】
　そこで、インターネットを利用して、一般の者が利用できるＮＭＲスペクトルデータ検索システムが数年前から実施されている。このシステムでは、データベースに登録するデータはＪＰＥＧなどのイメージデータと文字データで構成される。イメージデータと文字データを可視表示するためのＨＴＭＬ文書（ハイパーテキストマークアップランゲージ文書）および検索用のＨＴＭＬ文書がサーバに用意される。
　　　【０００６】
　検索を行う者は端末（一般的にクライアントと呼ばれる）側に用意されたＨＴＭＬ文書表示用のソフト（ブラウザと呼ばれる）を使用して検索用のＨＴＭＬ文書を表示させ、検索条件を入力する。サーバは端末から入力された検索条件に基づいてサーバ側に用意された検索用ソフトによりデータベースを検索し、表示用のＨＴＭＬ文書、検索の結果得られる文字データおよびイメージデータを端末に送信する。端末のブラウザは、送られたＨＴＭＬ文書に基づいて、文字データおよびイメージデータを図１に示すように表示させる。
　　　【０００７】
　初期のＮＭＲスペクトルデータ検索システムではホストコンピュータ側で端末表示用のイメージを作成したので、ホストコンピュータの処理負担が大きく、多数の端末からの検索要求に答えられないという不具合があったのに対して、サーバクライアント方式のＮＭＲスペクトルデータ検索システムは端末（クライアント）側で、表示用のイメージを合成するので、サーバの処理負担が少なく多数の端末からの検索要求に答えることができるようになってきた。」
　と記載しているように、本審判請求人は、
　（ＮＭＲスペクトル）データ検索システムにおいて、「ホストコンピュータと端末」を用いたシステムから、「サーバ」と「クライアント」から構成される（ＮＭＲスペクトル）データ検索システムに移行されたことが、本出願以前に『実施』されたことを自認している。
　
　実際、本出願の発明者である早水紀久子氏を第１著者とする一連の各種論文、例えば、
　
（ａ）早水紀久子（外１名），通商産業大臣表彰　有機化合物のスペクトルデータベースシステム（ＳＤＢＳ）の構築とインターネット公開，工業技術，Ｖｏｌ．４１，Ｎｏ．９，ｐ．２３−ｐ．２５（２０００）
　
（ｂ）早水紀久子，インターネット上のスペクトルデータベース（ＳＤＢＳ），物質研Ｎｅｗｓ，Ｎｏ．３，ｐ．３（１９９９）
　
（ｃ）早水紀久子（外１名），１Ｈおよび１３ＣＮＭＲデータベースのインターネットにおける全面公開，情報化学討論会・構造活性相関シンポジウム講演要旨集，２０ｔｈ−２５ｔｈ，ｐ．５１−ｐ．５４（１９９７）
　
（ｄ）早水紀久子（外４名），スペクトルデータベースシステム（ＳＤＢＳ）のインターネットでの公開　（１）ＭＳと１３ＣＮＭＲのスペクトルパターン，情報化学討論会・構造活性相関シンポジウム講演要旨集，１９ｔｈ−２４ｔｈ，ｐ．１１６−ｐ．１１７（１９９６）
　
（ｅ）早水紀久子，ＳＤＢＳ（スペクトルデータベースシステム）における化合物の考え方，ＣＩＣＤＪ　Ｂｕｌｌｅｔｉｎ，Ｖｏｌ．１４，Ｎｏ．５，ｐ．１０−ｐ．１５（１９９６）
　
　がそのことを裏付けている。
　
　しかも、引用例２に開示されているように、クライアント（例：Ｊａｖａアプリケーション）のリクエストによりサーバからダウンロードされたソフトウエアによって実行されるように構成することは公知技術である。
　なお、この場合、サーバからクライアントにソフトウエアがダウンロードされるのであるから、当該ソフトウエアは複数のクライアントで共有使用可能であることは明らかである。
　
　したがって、ホストコンピュータと端末からなるシステム構成から、サーバとクライアントからなるシステム構成（所謂、クライアント・サーバ・システム）へとダウンサイジングするという情報処理分野における周知の技術トレンドに対応させるべく、
　引用例２にあるような、クライアント（例：Ｊａｖａアプリケーション）のリクエストによりサーバからダウンロードされたソフトウエアによって実行されるシステムを採用することにより、
　引用例１発明の「利用者側コンピュータ」及び「ホスト側コンピュータ」を、それぞれ「クライアント」及び「サーバ」としたり、
　引用例１発明の「ソフト」を、ホスト側コンピュータに搭載され、複数の利用者側コンピュータと共有使用可能としたりすることは、
　当業者が容易に想到し得ることである。
　
　
（２）相違点２について 
　
　引用例１発明の「データベース」、「データ」、及び「データ検索システム」がＮＭＲスペクトルを取り扱うのか否かは不明であるものの、引用例１の上記（エ）において「核磁気共鳴（ＮＭＲ）」に関する示唆はなされている。
　
　一方、本出願当初明細書の「従来の技術」の欄（段落【０００２】乃至【０００７】）、及び「相違点１について」において提示した一連の各種論文から、化合物データベースの一種であるＮＭＲデータベースにＮＭＲスペクトルを登録していたことは周知である。
　
　また、化合物データにＮＭＲデータを含めると、化合物の調査等に有用であることは、科学技術分野における技術常識である。
　
　したがって、引用例１発明において、化合物の調査等がより好適に行えるように、データベースにＮＭＲスペクトルを登録することにより、
　引用例１発明の「データベース」、「データ」、及び「データ検索システム」を、「ＮＭＲスペクトル」に関するものとすることは、
　当業者が容易に想到し得ることである。
　
　
（３）相違点３について
　
　引用例１発明では、引用例１の写真１にあるように、化合物の２次元構造として、化学構造式の図形をイメージとして描画しているものの、描画されたデータをイメージとして登録しているか否かは不明である。
　
　しかしながら、「相違点１について」において提示した論文（ａ）の「３．１　化合物辞書部」の欄（第２４頁左欄第３０乃至３８行）に記載されているように、化学構造式（の図形）をイメージデータとして記憶することは周知技術である。
　
　したがって、引用例１発明において、化学構造式の図形をデータベースに登録できるように、「化学構造式の図形のイメージ」を作成して登録するように構成することは当業者が容易に想到し得ることである。
 　 
 　
　
５．むすび  
　
　したがって、本願発明は、引用例１乃至２及び周知技術に基づいて、当業者が容易に発明をすることができたものであり、特許法第２９条第２項の規定により特許を受けることができないから、他の請求項について検討するまでもなく、本願は拒絶されるべきものである。  
　
　よって、結論のとおり審決する。